(57)【要約】  容器（１０）の容器開口部（１２）用のシールリングは、誘導によって熱を導入するのに適した金属層（２３）、金属層（２３）からの熱伝導によって溶融可能でありかつ容器開口部（１２）でシール可能な層（２１）を有する。シール可能な層（２１）は、シールリング（２０）を容器開口部（１２）の上にのせた場合、容器（１０）の容器内部（１１）に隣接する。液体から酸素取り去りかつ／または吸収しうる吸収層（２２）は、吸収層（２２）が、容器開口部（１２）の上にシールリング（２０）がのせられた場合に容器内部（１１）と接触するように準備されている。
2009541169.tif 000002
【特許請求の範囲】
【請求項１】
誘導によって熱を導入するのに適した導電性層（２３）、
該導電性層（２３）からの熱伝導によって溶融可能でありかつ容器開口部（１２）にシール可能な層（２１）、
その際、このシール可能な層（２１）は、シールリング（２０）が容器開口部（１２）にのせられる場合に容器（１０）の容器内部（１１）に隣接しており、および
容器内部（１１）に存在する充填物から酸素を取り去りかつ／または吸収しうる吸収層（２２）、
その際、この吸収層（２２）は、シールリング（２０）が容器開口部（１２）にのせられる場合に容器内部（１１）とつながる、
を有する容器（１０）の容器開口部（１２）用のシールリング。
【請求項２】
シールリング（２０）が容器開口部（１２）から出発して重なり合って、
シール可能な層（２１）、
その上に誘導によって熱を導入するのに適した導電性層（２３）と、
その上に容器内部（１１）に存在する充填物から酸素を吸収する吸収層（２２）
を有し、その際、シール可能な層（２１）および導電性層（２３）には吸収層（２２）まで通じる穿孔（３０）が導かれていることを特徴とする、請求項１記載のシールリング。
【請求項３】
酸素を取り去る吸収層（２２）が上に向かって酸素バリヤー層（２４）によって覆われていることを特徴とする、請求項２記載のシールリング。
【請求項４】
容器開口部（１２）にシール可能な層（２１）が、酸素を吸収する部分および／または酸素を取り去りかつ／または吸収する特性を有し、その結果、シール可能な層（２１）と吸収層（２２）が全く同一の層であることを特徴とする、請求項１記載のシールリング。
【請求項５】
容器開口部（１２）にシール可能な層（２１）が容器口から出発して、連続的にまたは非連続的に上昇する酸素吸収部分の割合および／または酸素吸収特性を有する割合を有することを特徴とする、請求項４記載のシールリング。
【請求項６】
０％〜３％の間にある割合の酸素吸収部分の割合および／または酸素吸収特性を有する材料割合が５％〜２０％の間にある割合まで上昇することを特徴とする、請求項５記載のシールリング。
【請求項７】
シールリング（２０）が容器開口部（１２）から始まって、
まず容器開口部（１２）にシール可能な層（２１）、
次いで酸素を吸収しかつ／または取り去る吸収層（２２）および
その上に誘導によって熱を導入するのに適した導電性層（２３）を重ねて有し、かつ
容器開口部にシール可能な層（２１）が容器内部（１１）の液体および／または酸素に対して透過性であることを特徴とする、請求項１記載のシールリング。
【請求項８】
誘導によって熱を導入するのに適した導電性層（２３）が金属層（２３）であることを特徴とする、請求項１から７までのいずれか１項記載のシールリング。
【請求項９】
金属層（２３）がアルミニウム層（２３）であることを特徴とする、請求項８記載のシールリング。
【請求項１０】
酸素を取り去るまたは酸素を吸収する物質として、亜硫酸ナトリウム、鉄を含有する材料または紫外光によって活性化可能な材料が使用されることを特徴とする、請求項１から９までのいずれか１項記載のシールリング。
【発明の詳細な説明】
【技術分野】
【０００１】
本発明は、酸素吸収物質を有する、容器の容器開口部用のシールリング(Dichtscheibe)に関する。
【背景技術】
【０００２】
シールリングは多岐にわたる形において公知である。それらは容器口を密封するのに用いられる。該容器中には、例えば食品が、固体、液体または粉末状のコンシステンシーにおいて存在し、その際、一方でこれらの容器内容物が容器から出ることは所望されておらず、かつ他方で異物またはそれに周囲空気が容器中に入り込みかつ充填物と容器内部で接触することは同様に所望されていない。それゆえ、一方で蓋がスクリュークロージャー、カム回転式クロージャー、プラグクロージャー等により上に向かって密閉され、他方で容器口それ自体が、しっかりとはめられておりかつ容器口を密封するシールリングによりシールされる。外側のクロージャーキャップ(Verschlusskappe)が、特に機械的な密閉および一度開かれた容器の再密閉にも用いられる一方で、しかし一般には完全にはめこまれておらず、シールリングはそれがハーメチックシールで密閉するように形成される。一般に、内容物が容器中に充填された後、シールリングはクロージャーキャップと一緒に容器口に取り付けられる。次いで消費者は該クロージャーキャップを開き、そのことによって、実施態様に応じてシールリングはともに開かれるか、またはしかし消費者によってなお付加的に取り去られるかまたは刺し開かれなければならない。
【０００３】
時折、シールリングに付加的な望ましい特性を付与することが試みられる。例えば、容器中の多くの食品は貯蔵の過程で酸素を発生させるだけでなく、かつこれを食品の上方のヘッドルーム(Kopfraum)とも呼ばれる領域中に放出する。部分的に、この酸素は充填作業中にも生じるか、または物質の詰めかえに際してある特定の量がともに容器内部に取り込まれる。別の酸素は、例えばポリエチレンテレフタレート（ＰＥＴ）からの容器の場合、容器壁を通してヘッドルーム内に入りうる。
【０００４】
この酸素は多くの場合で所望されておらず、それというのも該酸素は充填物の貯蔵寿命および／または風味または他の特性、例えば充填物の視覚的外観も、それが比較的僅かな量で容器内に存在している時でさえも損ねるからである。
【０００５】
この理由から、例えば本出願人のＥＰ００８０３４４５Ｂ１において、殊に、酸素と反応する物質、例えばワインといった飲料を有する充填物で充填されているか、もしくは充填されるべき容器用のボトルクロージャー用のシールリングが提案される。一方で、このシールリングは、例えばアルコール飲料またはワインの中に含有されたアルコールのガス状成分がシールリングを通して外側に漏れ出ることを阻止し、かつ他方で、酸素が入り込むことと酸素がボトル内部で形成されることを減少させる。このために、酸素を吸収し、ひいてはこの酸素を充填物の上方のヘッドルームから取り去る物質が層として、容器内容物に向けられるべきシールリングの側に準備される。
【０００６】
ＥＰ１００７４２７Ｂ１も、酸素を吸収するかもしくは酸素を取り込む特性を有する多層シールリングを記載し、その際、種々のガス透過性のもしくはガス不透過性のポリマー材料からの層から成る多層配置ならびにフォーム層がそのつど重ねて配置された状態で準備されている。
【０００７】
ＥＰ１４６２３８１Ｂ１から、接着層によって互いに結合されているアルミニウム層とポリエチレンフォームからの層を有するシールリングが公知である。ポリエチレンから成る２つの層の間の酸素吸収層も考慮に入れられる。
【０００８】
従来技術からのこれらの提案がまさに効果的に使用されかつ容器中の充填物の寿命を延ばすのに十分に役立つ一方で、シールリングの可能性の別の最適化に関する要望が依然として残されたままである。例えば、公知のシールリングは、特定のクロージャータイプのみに、それも殊にシールリングがプラグクロージャーまたはカム回転式クロージャーに挿入されるタイプのみに用いられうる。次いで輸送およびその後の貯蔵期間中に、該シールリングは実際に目的とされたそれらの使用目的にも用いられえ、その後に容器が開かれる場合に一般に取り出される。しかしながら、シールリングにおいて緩く据えられているリングもしくは容器クロージャーを取り付けるこの実証された態様は、全てのケースにおいては所望されていないかまたは要求を満たさない。
【０００９】
それゆえ本発明の課題は、酸素吸収特性を有し、しかしながら、さらに容器ネックに固定されうるシールリングを提案することである。
【００１０】
この課題は、誘導によって熱を導入するのに適した導電性層、該導電性層からの熱伝導によって溶融可能でありかつ容器開口部にシール可能な層、その際、このシール可能な層は、シールリングが容器開口部にのせられる場合に容器の容器内部に隣接しており、および容器内部に存在する充填物から酸素を取り去りかつ／または吸収しうる吸収層、その際、この吸収層は、シールリングが容器開口部にのせられる場合に容器内部とつながる、を有する容器の容器開口部用のシールリングによって解決される。
【００１１】
このようなシールリングにより使用領域は明らかに広げられる。容器のヘッドルームから酸素を取り込む特性を有する、誘導的にシール可能なシールインサート(Dichteinlage)が得られる。
【００１２】
殊にこれは、その特性が、酸素と接触した際に、例えば保存されなかったフルーツジュースおよび野菜ジュースおけるかまたはそれにビールにおける酸化によって悪影響を及ぼされる充填物において使用可能でありかつ役に立つ。
【００１３】
誘導シーリング(induktive Versiegelung)の場合、誘導によって、例えば渦流の生成によってシールリング中に熱が導入される。この熱が導入されうるシールリングのある特定の部分は、これを熱伝導によってその隣接層に放散し、かつこれらの層と同様、隣接した容器の入口端部の部分的な溶融をもたらす。それによって、ここではちょうど容器端部の上の縁を有するこの容器端部の領域中で部分的に溶融されたシールリングの下側の間で非常に強力な結合が生まれる。
【００１４】
シールによるこの非常に強力な結合は、とりわけしっかりと容器口を密封するだけでなく、さらに新規の保護(Originalitaetsschutz)をもたらす。このようにシールされたシールリングは最初に開かれた後は手で操っても再び密閉することができないため、消費者は常に一目見ただけで容易に、容器を一番初めに開けたいとする前に容器がすでに開けられてしまっているかどうかを見分けることができる。
【００１５】
このシールはガラス容器の場合良好に可能であり、かつそこでも様々に使用され、しかしながら、例えばプラスチックパッケージ(Kunststoffgebinden)の場合にはさらに、ちょうどシール層と、プラスチックから成る容器口の端部との強力な結合が可能であるという利点を提供する。
【００１６】
プラスチックパッケージのクロージャーのこの誘導シーリングは、他の関連ですでに利用されており、そのため該誘導シーリングを実施するための相応する技術的な装置類が存在している。該誘導シーリングは、新規の保護手段として、かつ外部の影響に対して保護するための確実なバリヤーとして、例えば酸素トラップおよび水蒸気トラップとして使用される。
【００１７】
従来技術からの酸素吸収シールインサートはこれまで、たいてい誘導的にシール可能ではないとみなされていた。それというのも、それらの特性がこれを排除していたからである。酸素吸収物質も、誘導シーリングのために用いられる層と同様、容器内部に向けられているべきであり、このことは一見して互いに相容れない。それゆえＥＰ１４６２３８１Ｂ１は、すでに他の方向での解決策を試みていた。
【００１８】
それでもこれらの互いに補い合う利点が全く同一のシールリングにおいて実現可能なことは、それだけ一層驚くべきことである。本発明によるシールリングは、誘導的にシール可能なだけではなく、酸素吸収機能も有する。
【００１９】
本発明に関して、基本的に３つの異なる実施態様が存在し、それらは類似の結果を生み出し、かつ適用事例および外部の周囲条件に応じて異なった付加的な利点を提供する。
【００２０】
第一の実施態様の場合、シールリングは、容器口の上にシール可能な層が酸素を吸収する部分を有しかつ／または、該層が酸素を取り去りかつ／または吸収する特性を有するように形成されている場合に有利である。これは、シール可能な層と吸収層とが基本的に全く同一の層であることを意味する。
【００２１】
これは驚くべき着想である。というのも、これらの２つの非常に特別な特性は互いに相容れないものとそれ自体想定されていたからである。しかしながら試験によって明らかになったことは、一方で、特に容器口または容器開口部の端部で必要とされるシール特性を維持し、かつ同時にこの層に、特にシールリングの中間領域において、つまり、とりわけ広い面積が容器内部のヘッドルームと接触する場所で必要とされる吸収特性を付与することが可能なことである。
【００２２】
第二の実施態様の場合、シールリングが容器開口部から出発して重なり合って、シール層、その上に誘導によって熱を導入するのに適した導電性層と、その上に容器内部に存在する充填物から酸素を吸収する吸収層を有する場合に有利であって、その際、シール可能な層および導電性層には吸収層まで通じる穿孔が導かれている。
【００２３】
この着想は、層全体がその化学的組成において従来のシールリングと比べて変化しておらず、とは言っても通常とは異なる新規の組成を有することによって特別な利点を有する。誘導からの熱をシールリング中に導入する導電性層は、片方がシール可能な層で覆われる。その後、これらの２つの層は穿孔され、それも特に１個のまたはそれに複数の穿孔穴のいずれかが備え付けられる。その後、金属層のもう片方には吸収層が置かれる。そうしてシール可能な層を有するこのシールリングが下に向けて容器口の上に置かれる場合、当然の事ながら従来通りに正しくシーリングプロセスが行われうる。しかしながらここで、該穿孔に基づき、およそ容器内部のヘッドルーム内に存在する酸素がシールリングの下部の両層を貫通しかつ吸収層の領域中まで入りうる。従って吸収層もその機能を満たしうる。
【００２４】
導電性層は、有利には金属層である。実際、金属層として、殊にアルミニウム層が使用される。それというのも、この場合とりわけ効果的な導入が一方では生じえ、他方でアルミニウムは比較的軽量であり、ひいてはパッケージ全体の重さが本質的に高まらず、結果として比較的安価に手に入れられるからである。
【００２５】
この着想はまた、それどころか、シール層を有するアルミニウム層からの複合体が従来の試験されたこのような層複合体と比べて−もちろんこれに穿孔が施されたことは別として−変化しないままであることからもとりわけ興味深い。
【００２６】
有利には、吸収層はこの場合なお上に向かって酸素バリヤー層によりカバーされる。この時点で吸収層は最も上の層なので、該層は周囲空気と接触することがありえ、これは酸素を吸収するその能力を急速に消失させると考えられることから、多くの場合で所望されていない。
【００２７】
第三の実施態様の場合、シールリングが容器開口部から始まって、まず容器開口部の上にシール可能な層、次いで酸素を吸収しかつ／または取り去る吸収層と、その上に誘導によって熱を導入するのに適した金属層が重なり合って配置されているものを有し、かつ容器開口部の上にシール可能な層が容器内部の液体および／または酸素に対して透過性である場合に有利である。
【００２８】
この実施態様の場合、シール層を、それがたしかに異物に対してまたは例えば水に対しても不透過性ではあるが、しかしながら酸素を通過させるようにも変化させることができる、という利点がここで利用される。酸素に対する透過性は、これがシール可能な層を通ってさらにすぐ隣の層（この実施態様では吸収層である）まで浸透しうることをもたらす。つまり、ここでも吸収層はその機能を満たしうる。
【００２９】
種々の実施態様の組み合わせも考えられる。例えばその一つは、シール可能な層が、容器の内部に向いた側から、容器に背いたかつ導電性層と境を接する側の方まで、増大する酸素吸収物質の含量または増大する容積に相応した成分の含量を有するような態様である。
【００３０】
このシール可能な層を、そのつどある特定の酸素吸収物質の割合を有する２つの層から構成することも可能である。
【００３１】
酸素吸収物質または酸素吸収特性を有する部分の割合は、例えば容器開口部に隣接して０％〜３％の割合で、殊に約１％の割合で存在する。次いでこの割合は連続的に１段階以上で５％〜２０％まで上昇してよく、有利なのは約１０％の範囲である。
【００３２】
得られるシールリングは、要望および実際の要求に応じてしっかりとシールされているものであるかまたは可剥性（取り外し可能）のものであるフィルムを形成する。このため外側に向けて突出した出っ張りあるいは殊に突出したひだも、あるいは利用者のために緩められてある、それゆえ手でつかむことが可能な層領域を有する着想も用いられうる。
【００３３】
酸素を吸収しかつ／または酸素を取り去る層および領域のための物質として、例えば亜硫酸ナトリウムが使用されうる。亜硫酸ナトリウムは９０％およびそれを上回る大気湿度にて活性化され、次いで酸素を吸収しかつそれにより該酸素を周囲空気から取り去り始める。
【００３４】
亜硫酸ナトリウムの代替物は、鉄を含有する材料、例えば鉄粉でもある。鉄粉はそれ自体酸化し、かつその周囲から酸素を取り去り、次いで該酸素はそこでなくなる。とは言っても、鉄粉はこの酸化に際してそれ自体が褐色がかったものとなる。それゆえこのような吸収材料は、特に視覚的に要求の高くない背景において使用される。
【００３５】
ある特定の大気湿度によっては活性化されず、むしろ例えば紫外光の使用によって活性化される別の吸収材料が使用されうる。全く他の酸素を吸収する物質または酸素を取り去る物質も考えられる。
【００３６】
一実施態様は、シール層内に約１０％の割合で亜硫酸ナトリウムを有し、それはシールインサートの内部に向かって３３％までの割合で上昇する。
【００３７】
以下で、図を手がかりにして本発明の３つの実施例が詳細に説明される。
【図面の簡単な説明】
【００３８】
【図１】容器上のシールリングの第一の本発明による実施態様による断面図を示す図
【図２】容器上のシールリングの第二の本発明による実施態様による断面図を示す図
【図３】容器上のシールリングの第三の本発明による実施態様による断面図を示す図
【００３９】
容器１０は、充填物が存在するかもしくは充填物が導入されうる内部空間１１を有する。容器１０は円柱状の容器口を有する；これは特定の形状において、方形、多角形、楕円形またはその他の横断面も有してよい。
【００４０】
全ての図面において、そのつど容器１０の容器口１２のみが図示されている。該容器口１２はそのつど上が平坦であるため、全部一緒に２０で示されたシールリングを平らに取り付けることができる。
【００４１】
シールリング２０は種々の実施態様において図１〜３の中でそのつど違った形で構成されており、その際、しかしながら個々の成分は互いに似ているか、もしくは類似の効果をもたらしかつ作用を満たし、それゆえ互いに合致した符号が付けられている。
【００４２】
該シールリング２０は、シールリング２０の様々な領域で分布して複数の機能性を有する。第一のものとして、容器口１２と密接に結合しうる溶融可能な材料を有する、シール層２１とも呼ばれるシール可能な層２１が存在する。第二のものとして、吸収層２２とも呼ばれる、酸素吸収特性を有する層２２が準備されている。最後に第三のものとして、磁気誘導によって外部電磁場からエネルギーが導入されうる金属層２３、一般にはアルミニウム層２３が準備されており、該エネルギーはこのアルミニウム層２３において熱に変わる。
【００４３】
図１の実施態様において、シールリング２０の多層構造は、容器口１２に隣接した最も下の層が、同時に酸素吸収特性を有する層２１であるように見て取られる。このためシール層２１は、符号２２を有する小さい円形断面を加えることによって示唆されている酸素吸収特性を付加的に得るために特別に混ぜ合わされなければならない。
【００４４】
このことは、シール層２１の特定の部分が取り出されかつ吸収層２２の他の材料で充填されることを意味していない（ただし、これもこの実施態様の一可能性として考えられる）。しかしながら有利なのは、シール層２１に酸素吸収材料が組み込まれており、それもこのシール層２１のシール特性が容器口１２の上で損なわれない量で組み込まれている変形である。
【００４５】
吸収層２２の特性を有するこのシール層２１の上には、別の層としてアルミニウム層２３が準備されている。このアルミニウム層２３は熱導体として用いられる。このアルミニウム層２３の中に誘導によって外側から熱が導入されえ、次いでそれはシール層２１へ熱伝導によってさらに伝えられ、かつその部分的な溶融が容器口１２に隣接した少なくとも周りを取り囲む端部の領域中で引き起こされ、そのことによってそこでシールによる密封が行われる。
【００４６】
シール層２１とアルミニウム層２３との間には、容器内部１１の浸食性でもあり得る充填物による腐食からアルミニウムを保護するために用いられる、図示されなかった付加的なバリヤー層も準備されてよい。
【００４７】
アルミニウム層２３の上には、さらに同様に、熱緩衝層としてかつ開口部の公差の調整に用いられる、図示されなかったポリエチレンおよび／またはポリプロピレン−フォームからの別の層が準備されてよい。
【００４８】
またこれらの層の上には、そのようにしてさらにシーリングに対する保護層としてのＰＥＴ層がクロージャーキャップの底面部に準備されてよい。
【００４９】
図２における実施態様の場合、容器１０もしくは容器内部１１および容器口１２に向いたシール層２１がシールリング２０の最も下の層として存在する。この場合、シール層２１は酸素吸収特性を有する必要はない。
【００５０】
シール層２１の上には、ここでも該シール層２１の部分的な溶融に用いられる熱の誘導供給に用いられるアルミニウム層２３が存在する。
【００５１】
アルミニウム層２３の上には、この場合吸収層２２が存在する。
【００５２】
アルミニウム層２３と同様シール層２１にも、両層を通り抜ける１つまたは殊に複数またはそれに多数の穿孔３０が備え付けられている。これらの穿孔３０は、それらが容器口１２の周りを取り囲む端部の領域中でのシール特性を損ねないように準備されている。これは穿孔３０がシールリング２０の端部領域にまで伸びないことによって保証されうる。
【００５３】
アルミニウム層２３の上には、連続する吸収層２２が存在する。この吸収層２２は、シールリング２０が容器口１２の上にのせられた状態で穿孔３０を介して容器内部１１とそこに存在する充填物とつながっている。これは、吸収層２３がその間にアルミニウム層２３とシール層２１を持っているにも関わらずその酸素吸収機能を発揮しうることを意味する。
【００５４】
吸収層２２の上には、この実施態様において、さらに酸素バリヤー層２４が準備されている。この酸素バリヤー層２４は、シールリング２０の外側もしくは容器１０の外側に存在する酸素に対して吸収層２２をカバーする。さらに考慮されるべきことは、側方から入ってくる酸素に対しても吸収層２２が保護されることが望ましい。図の尺度は正確なものではないが、しかしながら、この領域が上に向いた吸収層２２のエンド領域よりはるかに小さい面積部分を占めることが顧慮されるべきである。
【００５５】
それから酸素バリヤー層２４の上には、図１の実施態様におけるのと同じように別の層が準備されてよい。
【００５６】
また図３に従う実施態様においては、容器口１２に隣接したシールリング２０の最も下の層としてシール層２１が存在する。この層はここでも固有の酸素吸収特性または酸素取り込み特性を有さない。
【００５７】
とは言ってもそれは酸素透過性である。これも従来のシール層の場合にはそのようにして準備されておらず、しかし相応する新規の組み合わせによって達成可能である。
【００５８】
シール層２１の上には、この実施態様の場合、ここでは全面が接している吸収層２２が存在する。
【００５９】
また吸収層２２の上には、熱の誘導供給に用いられるアルミニウム層２３が存在する。この場合、アルミニウム層２３は熱導体によって吸収された熱を吸収層２２を通してシール層２１に少なくとも容器口１２の周辺の領域中で放出し、かつそこでまた容器口１２の上にシール層２１がシールされることを可能にする。
【００６０】
この実施態様の場合、穿孔は準備されていない。しかしながら、この場合シール層２１は酸素透過性なので、酸素はシール層２１を通って吸収層２２に入り、その結果、ここでも吸収層２２はその機能を満たしうる。
【００６１】
ここでも他の２つの実施態様と同様、アルミニウム層の上に別の層を考えることが可能である。
【００６２】
３つの全ての実施態様は、クロージャーに残されるエレメントを密封のために有さない、いわゆるワンピースのシールリングにも、またクロージャーに残されるエレメントを密封のために有する、いわゆるツーピースのシールリングにも使用されうる。
【００６３】
２つ目のケースは、いわゆる"リリースエレメント(Wiederabdichteleme)"に関する。このためにカートンまたはＰＥＴを有するカートンまたはラミネーションを有するポリエチレンフォームまたはラミネーションを有するポリプロピレンフォームが使用され、これはワックスまたはポリオレフィンからの分離可能な結合層を介して、図１、２または３の中で図示されたシールリング２０の層と結合される。つまり、このリリースエレメントは結合層を介して、図示された最も上の層と結合されており、しかし、クロージャーキャップが初めて開けられた際にこれから分離されかつクロージャーキャップに残される。次いで消費者は、容器口１２の上にとどまりかつ図１〜３の中で示されたシールリング２０の成分を取り除き、かつ希望に応じて容器１０を引き続きクロージャーキャップおよびクロージャーキャップ内に残されたシールリング２０の上部の成分により再度密閉することができる。それにより少なくとも一時的な期間、容器１０の容器内部１１の中の充填物の品質保持が可能となる。
【符号の説明】
【００６４】
１０  容器
１１  容器内部
１２  容器口または容器開口部
２０  シールリング
２１  シール可能な層、またシール層
２２  液体から酸素を取り去るかまたは吸収しうる層または領域、また吸収層
２３  誘導によって熱を導入するのに適した金属層、たいていの場合アルミニウム層
２４  酸素バリヤー層
３０  穿孔
【図１】
2009541169.tif 000003
【図２】
2009541169.tif 000004
【図３】
2009541169.tif 000005
【国際調査報告】
2009541169.tif 000006
2009541169.tif 000007
2009541169.tif 000008
2009541169.tif 000009